(57)【要約】【課題】携帯端末紛失時の探索において、特に屋内や近距離での携帯端末の探索において、より外乱の影響を受けにくい方法により精度の高い距離情報をもとに探索者が探索対象携帯端末を探索できるシステムを提供する。【解決手段】被探索携帯端末１は、自身の位置情報を被探索側送受信手段１ａを用いて探索用携帯端末２に送信し、探索用携帯端末２は、送信された位置情報を探索側送受信手段２ｂによって受信し、被探索用携帯端末２との距離が被探索側無線通信手段１ｊと探索側無線通信手段２ｊとの無線通信可能範囲移動したときに、被探索側無線通信手段１ｊと前記探索側無線通信手段２ｊとの間の無線通信によって被探索携帯端末１と探索用携帯端末２との距離を取得する。【選択図】図１
2008148166.tif 000002
【特許請求の範囲】
【請求項１】
被探索携帯端末と、該被探索携帯端末を探索するための探索用携帯端末と、から構成される携帯端末探索システムにおいて、
前記被探索携帯端末は、基地局を介して前記探索用携帯端末との間で情報の送受信を行うための被探索側送受信手段と、当該被探索携帯端末の位置情報を得るための位置情報取得手段と、前記探索用携帯端末と直接に無線通信をするための被探索側無線通信手段と、を備え、
前記探索用携帯端末は、基地局を介して被探索携帯端末との間で情報の送受信を行うための探索側送受信手段と、前記被探索携帯端末と直接に通信をするための探索用無線通信手段と、を備え、
前記被探索携帯端末は、前記位置情報を前記被探索側送受信手段を用いて前記探索用携帯端末に送信し、前記探索用携帯端末は、送信された前記位置情報を前記探索側送受信手段によって受信し、
前記被探索携帯端末及び前記探索用携帯端末との距離が前記被探索側無線通信手段と前記探索側無線通信手段との無線通信可能範囲となる位置に前記探索用携帯端末が移動したときは、前記被探索側無線通信手段と前記探索側無線通信手段との間の無線通信によって前記被探索携帯端末と前記探索用携帯端末との距離を取得することにより前記被探索携帯端末の探索を完了することを特徴とする携帯端末探索システム。
【請求項２】
請求項１に記載の携帯端末探索システムにおいて、前記被探索携帯端末は、所定の認証情報を保持する記憶手段と、前記探索用携帯端末から送信されたデータに含まれる認証情報と前記記憶手段内に保持される認証情報とが一致するか否かを判断する認証手段と、を備え、認証情報が一致すると前記認証手段が判断したときに、前記位置情報を前記探索用携帯端末に送信することを特徴とする携帯端末探索システム。
【請求項３】
請求項１又は２に記載の携帯端末探索システムにおいて、前記被探索携帯端末は、当該被探索携帯端末の存在を報知する報知手段を備えたことを特徴とする携帯端末探索システム。
【請求項４】
基地局を介して他の携帯端末との間で情報の送受信を行うための送受信手段と、現在位置情報を取得するための位置情報取得手段と、所定の認証情報を保持する記憶手段と、前記他の携帯端末と直接に通信をするための無線通信手段と、前記他の端末から前記送受信手段を介して送信されるデータに含まれる認証情報と前記記憶手段内に保持される認証情報が一致するか否かを判断する認証手段と、を備えた携帯端末であって、該携帯端末が前記他の携帯端末によって探索されるときは、該認証手段が認証情報が一致すると判断したときに前記送受信手段により前記他の携帯端末に前記現在位置情報を送信し、前記他の携帯端末が移動して前記無線通信手段と通信可能な範囲にあるときは、前記無線通信手段と、前記他の携帯端末が有する無線通信手段とを通信させることにより、前記他の携帯端末に、前記携帯端末と前記他の携帯端末間の距離を取得させることを特徴とする携帯端末。
【請求項５】
請求項４に記載の携帯端末であって、当該携帯端末の存在を報知する報知手段を備えたことを特徴とする携帯端末。
【請求項６】
基地局を介して他の携帯端末との間で情報の送受信を行うための送受信手段と、現在位置情報を取得するための位置情報取得手段と、所定の認証情報を保持する記憶手段と、前記他の携帯端末と直接に通信をするための無線通信手段と、前記他の端末から前記送受信手段を介して送信されるデータに含まれる認証情報と前記記憶手段内に保持される認証情報が一致するか否かを判断する認証手段と、を備えた携帯端末であって、該携帯端末が前記他の携帯端末を探索するときは、
前記送受信手段を介して前記認証情報を含むデータを前記他の携帯端末に送信し、前記認証情報が前記認証手段により認証されることで前記他の携帯端末から送信される当該他の携帯端末の位置情報を前記送受信手段を介して取得し、前記他の携帯端末と前記無線通信手段とが通信可能な範囲に移動したときに、前記無線通信手段と、前記他の携帯端末が有する無線通信手段とを通信させることにより、前記携帯端末と前記他の携帯端末との距離を取得して前記他の携帯端末の探索を完了することを特徴とする携帯端末。
【発明の詳細な説明】
【技術分野】
【０００１】
本発明は、携帯端末および携帯端末紛失時の探索システムに関するものである。
【背景技術】
【０００２】
近年、ＰＤＡ（Personal Digital Assistant）などの携帯情報端末は、その小型化軽量化により持ち運びやすく、より便利なものとなっている。しかしながら、その反面で置き忘れ等により紛失しやすいという問題がある。
この問題に対する従来技術として、例えば、特許文献１に記載されるような携帯端末の探索システムが知られている。このシステムでは、探索対象である紛失した携帯端末がＧＰＳ機能あるいは携帯基地局情報を用いて自身の位置情報を取得し、取得した位置情報を探索側の携帯端末に送信し、探索側の携帯端末において受信した探索対象携帯端末の位置情報をもとに探索が行われる。また、さらに、探索側の携帯端末においても、探索対象の携帯端末と同様に自身の位置情報を取得し、探索側、探索対象の携帯端末の位置情報をそれぞれ比較した結果、両者が所定の範囲内にある場合、音やライトや振動による報知手段を持たせることにより探索が行われやすくすることが開示されている。
【特許文献１】特開２００３−２８４１５４公報
【発明の開示】
【発明が解決しようとする課題】
【０００３】
特許文献１の開示においては、ＧＰＳ機能あるいは携帯基地局情報を用いているが、紛失した携帯端末を探索する上で、探索側携帯端末と探索対象携帯端末の距離が遠い場合においてはそれらによる両者のおおまかな位置情報の取得、比較は有効な手段となりうる。また探索側携帯端末と探索対象携帯端末との距離が所定範囲内にある場合に、探索側携帯端末を所持した探索者にとってライトが見える場合や音や振動が聞こえる場合においてはライトや音による報知手段は有効である。
しかしながら、屋内での探索、例えば家の中にある探索対象携帯端末を探索側携帯端末で探索する場合においても、ＧＰＳ衛星や基地局を介して探索対象携帯端末を探索するのでは、衛星や基地局と探索対象携帯端末との間にある外乱の影響を受けやすく、そのような影響下では位置情報の精度が落ち、正確な探索ができなくなる問題がある。また、位置情報の精度が低い状態下で探索対象携帯端末のライトが探索者に見えない場合や、音や振動を吸収するような物体の中にある場合のように、報知手段が有効に機能しない場合には、探索者にとっては探索をすることが難しくなるという問題がある。
【０００４】
そこで、本発明は、携帯端末紛失時の探索において、特に屋内や近距離での携帯端末の探索においてより外乱の影響を受けにくい方法により探索できるようにすること、また報知手段が有効に機能しない場合においても精度の高い距離情報をもとに探索者が探索対象携帯端末を探索することができるようにすることを目的とする。
【課題を解決するための手段】
【０００５】
以上の課題を解決するために、請求項１に記載の発明は、被探索携帯端末と、該被探索携帯端末を探索するための探索用携帯端末と、から構成される携帯端末探索システムにおいて、前記被探索携帯端末は、基地局を介して前記探索用携帯端末との間で情報の送受信を行うための被探索側送受信手段と、当該被探索携帯端末の位置情報を得るための位置情報取得手段と、前記探索用携帯端末と直接に無線通信をするための被探索側無線通信手段と、を備え、前記探索用携帯端末は、基地局を介して被探索携帯端末との間で情報の送受信を行うための探索側送受信手段と、前記被探索携帯端末と直接に通信をするための探索用無線通信手段と、を備え、前記被探索携帯端末は、前記位置情報を前記被探索側送受信手段を用いて前記探索用携帯端末に送信し、前記探索用携帯端末は、送信された前記位置情報を前記探索側送受信手段によって受信し、前記被探索携帯端末及び前記探索用携帯端末との距離が前記被探索側無線通信手段と前記探索側無線通信手段との無線通信可能範囲となる位置に前記探索用携帯端末が移動したときは、前記被探索側無線通信手段と前記探索側無線通信手段との間の無線通信によって前記被探索携帯端末と前記探索用携帯端末との距離を取得することにより前記被探索携帯端末の探索を完了する携帯端末探索システムを特徴とする。
【０００６】
請求項２に記載の発明は、請求項１に記載の携帯端末探索システムにおいて、前記被探索携帯端末は、所定の認証情報を保持する記憶手段と、前記探索用携帯端末から送信されたデータに含まれる認証情報と前記記憶手段内に保持される認証情報とが一致するか否かを判断する認証手段と、を備え、認証情報が一致すると前記認証手段が判断したときに、前記位置情報を前記探索用携帯端末に送信する携帯端末探索システムを特徴とする。
請求項３に記載の発明は、請求項１又は２に記載の携帯端末探索システムにおいて、前記被探索携帯端末は、当該被探索携帯端末の存在を報知する報知手段を備えた携帯端末探索システムを特徴とする。
【０００７】
請求項４に記載の発明は、基地局を介して他の携帯端末との間で情報の送受信を行うための送受信手段と、現在位置情報を取得するための位置情報取得手段と、所定の認証情報を保持する記憶手段と、前記他の携帯端末と直接に通信をするための無線通信手段と、前記他の端末から前記送受信手段を介して送信されるデータに含まれる認証情報と前記記憶手段内に保持される認証情報が一致するか否かを判断する認証手段と、を備えた携帯端末であって、該携帯端末が前記他の携帯端末によって探索されるときは、該認証手段が認証情報が一致すると判断したときに前記送受信手段により前記他の携帯端末に前記現在位置情報を送信し、前記他の携帯端末が移動して前記無線通信手段と通信可能な範囲にあるときは、前記無線通信手段と、前記他の携帯端末が有する無線通信手段とを通信させることにより、前記他の携帯端末に、前記携帯端末と前記他の携帯端末間の距離を取得させる携帯端末を特徴とする。
【０００８】
請求項５に記載の発明は、請求項４に記載の携帯端末であって、当該携帯端末の存在を報知する報知手段を備えた携帯端末を特徴とする。
請求項６に記載の発明は、基地局を介して他の携帯端末との間で情報の送受信を行うための送受信手段と、現在位置情報を取得するための位置情報取得手段と、所定の認証情報を保持する記憶手段と、前記他の携帯端末と直接に通信をするための無線通信手段と、前記他の端末から前記送受信手段を介して送信されるデータに含まれる認証情報と前記記憶手段内に保持される認証情報が一致するか否かを判断する認証手段と、を備えた携帯端末であって、該携帯端末が前記他の携帯端末を探索するときは、前記送受信手段を介して前記認証情報を含むデータを前記他の携帯端末に送信し、前記認証情報が前記認証手段により認証されることで前記他の携帯端末から送信される当該他の携帯端末の位置情報を前記送受信手段を介して取得し、前記他の携帯端末と前記無線通信手段とが通信可能な範囲に移動したときに、前記無線通信手段と、前記他の携帯端末が有する無線通信手段とを通信させることにより、前記携帯端末と前記他の携帯端末との距離を取得して前記他の携帯端末の探索を完了する携帯端末を特徴とする。
【発明の効果】
【０００９】
以上のように構成することで、本発明によれば携帯端末紛失時の探索において、ＧＰＳによる広範囲にわたる探索が可能なだけでなく、ＧＰＳの苦手とする屋内や近距離での携帯端末の探索においては通信相手と基地局などを介さず直接通信を行う無線ＵＳＢ通信機能から得られる通信相手との高精度な距離情報をもとに探索を行うことができ、より容易に探索を行うことができる
【発明を実施するための最良の形態】
【００１０】
以下に、図面を参照して本発明の実施の形態を詳細に説明する。
図１は、紛失して、探索の対象となった探索対象携帯端末（以下、被探索携帯端末）１と、被探索携帯端末１を探索するための探索用携帯端末２から構成される携帯端末探索システムを示す図である。
被探索携帯端末１は、送受信部（被探索側送受信部）１ａ、送受信用アンテナ１ｂ、ＧＰＳ（Global Positioning System）受信部（位置情報取得手段）１ｃ、ＧＰＳ受信用アンテナ１ｄ、制御部１ｅ、表示部１ｆ、操作部１ｇ、記憶部１ｈ、無線ＵＳＢ通信部（被探索側無線通信手段）１ｉ、無線ＵＳＢ通信用アンテナ１ｊ、認証部１ｋ、報知部（報知手段）１ｌから構成されている。
送受信用アンテナ１ｂは、基地局（アクセスポイント）との電波の送受信に用い、送受信部１ａにて、送受信する電波の変調、復調を行う。この送受信部１ａ及び送受信用アンテナ１ｂを備えることにより、被探索携帯端末１は、基地局を介してインターネット等に接続し、Ｅ−ｍａｉｌの送受信やＷＷＷ（World Wide Web）等のサービスが利用可能となり、また、離れた探索用携帯端末２との通信を行うことができる。
【００１１】
ＧＰＳ受信部１ｃとＧＰＳ受信用アンテナ１ｄは、ＧＰＳ衛星から電波を受信し、被探索携帯端末１の位置情報を求めるものである。
また、制御部１ｅは携帯端末１の各動作を制御するものであり、ＣＰＵ（Central Processing Unit）を含んでいる。記憶部１ｈは制御部１ｅが被探索携帯端末１の動作制御を行うにあたって必要とする情報を格納するメモリである。
表示部１ｆは被探索携帯端末１内の情報を表示するためのものである。操作部１ｇは利用者がキー入力などの操作を行うためのものである。無線ＵＳＢ通信部１ｉと無線ＵＳＢ通信用アンテナ１ｊは、周波数が３．１ＧＨｚ〜１０．６ＧＨｚの電波を利用して、通信距離１０ｍ程度内で、転送速度が５０〜４８０Ｍｂｐｓの基地局を介さない１対１近距離高速無線通信を行うものである。そして、同じ無線ＵＳＢ通信部１ｉをもつ通信端末と通信することで、互いの距離を理論上±１０ｃｍの精度まで測定することが可能である。無線ＵＳＢ通信については、後に詳述する。
【００１２】
認証部１ｋは、後述するように探索用携帯端末２から受信したメールが被探索携帯端末１の記憶部１ｈに格納されているパスワード（認証情報）を含むメールの雛形と一致するかどうかを確認するものである。また、一致していた場合、記憶部１ｈに格納されている被探索携帯端末１の位置情報を探索用携帯端末２に送信する許可を与える、それと同時に探索用携帯端末２が携帯端末１と無線ＵＳＢ通信を行う許可を与えるものでもある。
これにより、特定の者のみが携帯端末１の位置情報を得ることや、また携帯端末１のもつ情報を無線ＵＳＢ通信により受信することができるようになり、セキュリティーの向上に繋がる。報知部１ｌは、音や振動やライトにより携帯端末１自身の存在を周囲に放置するためのものであり、認証をパスした探索用携帯端末２から報知部１ｌを動作させる内容のメールを受信すると、音や振動や光を発するものとする。これにより視覚的、聴覚的に探索することが可能となる。また、探索用携帯端末２を所持する探索者は無線ＵＳＢ通信による距離情報をもとに報知部１ｌを動作させるかどうかの判断を行うことができる。
本発明による携帯端末１としては、上記の構成要素を含むものであればその形態を問わない。
【００１３】
探索用携帯端末２は、送受信部（探索側送受信部）２ａ、制御部２ｅ、表示部２ｆ、操作部２ｇ、記憶部２ｈ、無線ＵＳＢ通信部（探索側無線通信手段）２ｉから構成されている。送受信部２ａ、制御部２ｅ、表示部２ｆ、操作部２ｇ、記憶部２ｈ、無線ＵＳＢ通信部２ｉについては、上記の携帯端末１の送受信部１ａ、制御部１ｅ、表示部１ｆ、操作部１ｇ、記憶部１ｈ、無線ＵＳＢ通信部１ｉとそれぞれ同じ機能を果たすものであり、説明を省略する。
紛失中の被探索携帯端末１の位置情報や無線ＵＳＢ通信部１ｉにより得られる紛失中の携帯端末１との距離情報は表示部２ｆに表示される。
本発明による探索用携帯端末２としても、上記の構成要素を含むものであればその形態を問わず、つまりは上記の携帯端末１も探索用携帯端末２として機能することも可能である。
また、認証時に必要となるパスワードを含むメールの雛形、ＧＰＳ受信部１ｃとＧＰＳ受信用アンテナ１ｄによって得られた携帯端末１の位置情報、報知機能をＯＮにするためのメールの雛形、報知機能をＯＦＦにするためのメールの雛形は記憶部１ｈに格納されるものとする。
【００１４】
次に、被探索携帯端末１と探索用携帯端末２による携帯端末探索の手順について説明する。
探索を行う前に、予め設定して記憶部１ｈに格納しておく必要がある情報として、被探索携帯端末１の位置情報を獲得する場合と携帯端末１と無線ＵＳＢ通信を行う場合の認証で使用するパスワードを含むメールの雛形と報知機能をＯＮにするためのメールの雛形と報知機能をＯＦＦにするためのメールの雛形がある。これらの設定は携帯端末１の操作部１ｇによりキー入力し、制御部１ｅを通して記憶部１ｈに格納される。
【００１５】
図２は本実施例にかかる携帯端末探索の手順を示す図である。紛失した携帯端末１を探索するとき、まず探索用携帯端末２がパスワード（認証情報）を含むメールを紛失中の携帯端末１に送受信部２ａ経由で送信する（Ｓ１１）ことにより開始される。
次に、被探索携帯端末１が送受信部１ａ経由により探索用携帯端末２から送信されたパスワードを含むメールを受信する（Ｓ１２）。
認証部１ｋは、メールに含まれているパスワードが記憶部１ｈにあるパスワードを含むメールの雛形のパスワードと一致しているかどうかを判断する（Ｓ１３）。これについてさらに詳しく説明する。例えばパスワードを「ＡＢＣＤ」と仮定した場合、『紛失中の端末のパスワードはＡＢＣＤ』という本文からなるメールを、パスワードを含むメールの雛形として予め設定し記憶部１ｈに格納しておき、受信したメールの本文が『紛失中の端末のパスワードは』から始まる場合、『紛失中の端末のパスワードは』に続く文字をパスワードとして認識し、予め記憶部１ｈに格納しておいたメールの雛形のパスワードと一致するかどうかを判断する。単にパスワード『ＡＢＣＤ』のみの本文からなるメールを雛形として記憶部１ｈに格納し、受信したメールにパスワード『ＡＢＣＤ』が含まれるかどうかだけで認証を行うと、パスワードによっては探索用のメールではないにも関わらず偶然『ＡＢＣＤ』という単語を本文に含んでしまうメールを紛失中の携帯端末１で受信してしまう恐れがあり、その場合誤って認証をパスしてしまうということを防ぐためである。また、受信したメールが探索用であるかどうかの判断を本文が『紛失中の端末のパスワードは』という文で始まるかどうかにより判断することができ、それにより探索用でない通常のメールか、それとも探索用の紛失中の携帯端末１の位置情報を要求するメールか、の区別を行うことができる。ここで『紛失中の端末のパスワードは』という部分は任意に設定することができ、通常のメールの本文としては含まれにくいと考えられる表現を使う方がよい。
【００１６】
そして、パスワードが一致していた場合（Ｓ１３でＹｅｓ）、紛失中の携帯端末１はＧＰＳ受信部１ｃとＧＰＳ受信用アンテナ（１ｄ）により位置情報を取得し、記憶部に格納する（Ｓ１４）。パスワードが一致していなかった場合（Ｓ１３でＮｏ）、パスワードが違うことを伝えるメールを、パスワードを間違えていたメールの送信元アドレスを宛先として送受信部１ａ経由により送信する（Ｓ１５−１）探索者は、探索用携帯端末２が送受信部２ａ経由によりこのメールを受信する（Ｓ１５−２）ことで、パスワードが違っていることを知り、再度正しいパスワードを送りなおすことができる。紛失中の携帯端末１は正しいパスワードを含むメールの送信元アドレスを宛先として、記憶部１ｈに格納されているＧＰＳ受信部１ｃとＧＰＳ受信用アンテナ１ｄにより得られる携帯端末１の位置情報のメールを送受信部１ａ経由で送信する（Ｓ１６）。探索用携帯端末２が送受信部２ａ経由で紛失中の携帯端末１の位置情報のメールを受信する（Ｓ１７）。位置情報をもとに探索用携帯端末２を所持する探索者は、紛失中の携帯端末１の所在地に近づいていき、無線ＵＳＢ通信可能な距離に達する（Ｓ１８）。ここで無線ＵＳＢ通信可能な距離とは一般に１０ｍ程度内とされる。無線ＵＳＢ通信が可能となると、紛失中の携帯端末１と探索用携帯端末２とが互いの無線ＵＳＢ通信部１ｉ、２ｉと無線ＵＳＢ通信用アンテナ１ｊ、２ｊを経由して直接無線通信を行い、紛失中の携帯端末１と探索用携帯端末２は互いの距離を理論上±１０ｃｍの精度で知ることができる（Ｓ１９）。ここで距離情報は探索用携帯端末２の表示部２ｆに表示されるようにしておき、この距離情報が報知部１ｌを動作させて探索を行いたいと思う距離であれば、報知機能をＯＮにするためのメールの雛形と同じメールを送受信部２ａ経由で送信する（Ｓ２０）。紛失中の携帯端末１が送受信部１ａ経由によりメールを受信し、記憶部１ｈに格納されている報知機能をＯＮにするためのメールの雛形と同じメールであることを確認すると、報知部１ｌの動作をＯＮにする（Ｓ２１）。音や振動やライトが動作することと、加えて無線ＵＳＢ通信機能による正確な距離情報をもとに紛失中の携帯端末１を発見することが可能となる（Ｓ２３）。紛失中の携帯端末１を発見後は発見した携帯端末１を直接操作して報知部１ｌの動作をＯＦＦにし（Ｓ２４）、探索が終了する。なお、報知部１ｌが動作中で紛失中の携帯端末１を探索中に報知機能をＯＦＦにしたい場合は、報知機能をＯＦＦにするためのメールの雛形と同じメールを探索用携帯端末２から送信すれば報知部１ｌの動作をＯＦＦにすることが可能であるとする。
【００１７】
以上のように構成することで、携帯端末紛失時の探索において、ＧＰＳによる広範囲にわたる探索が可能なだけでなく、ＧＰＳの苦手とする屋内や近距離での携帯端末の探索においては通信相手と基地局などを介さず直接通信を行う無線ＵＳＢ通信機能から得られる通信相手との高精度な距離情報をもとに探索を行うことができ、より容易に探索を行うことができる。また、このようにして得られた距離情報をもとに音や振動や光などの報知手段を動作させるかどうかを判断することができ、報知手段の動作によってより容易に探索を行うことができる。また、認証手段を設けることにより、セキュリティーを考慮した探索を行うことができる。
【００１８】
最後に、本発明に用いた無線ＵＳＢ（ワイヤレスＵＳＢ）について説明する。
ワイヤレスＵＳＢとは、ＵＷＢ（Ultra Wide Band）を無線方式とする、ＵＳＢのインタフェースである。
ＵＷＢは、３．１〜１０．６［ＧＨｚ］の７．５［ＧＨｚ］という、広い周波数帯域を使用している。
ＵＷＢの物理層には、ＭＢ−ＯＤＦＭ（Multi Band-Orthogonal Frequency Division Multiplexing）、ＤＳ−ＵＷＢ（Direct Spread-UWB）の２つの変調方式がある。
ＭＢ−ＯＤＦＭは、３．１〜１０．６［ＧＨｚ］の帯域を、１４のバンドに分割し、各バンドで、まず、ＱＰＳＫ（Quadrature Phase Shift Keying）により、ディジタル信号を電波に乗せるための１次変調を行い、他の電波からの干渉に強い通信を実現するための２次変調を、ＯＦＤＭ変調によっておこなう。
ＤＳ−ＵＷＢは、３．１〜４．９［ＧＨｚ］のローバンドと、６．２〜９．７［ＧＨｚ］のハイバンドの２つのバンド（デュアルバンド）を使用して、まず、ＱＰＳＫまたはＢＰＳＫ（Binary Phase Shift Keying）によって１次変調をおこなった後、２次変調にＣＤＭＡ（Code Division Multiple Access）を使用してデータを運ぶ。このとき直接周波数拡散方式を使用する。
【００１９】
ＩＥＥＥ（米国電気電子学会）８０２．１５．３ａが、ＵＷＢの物理レイヤーの標準化を担当している。これらの変調方式によって、変調をおこなうことにより、ＵＷＢでは、１［ＭＨｚ］当たりの送信電力レベルを抑制している。
具体的には、ＦＣＣ（米国連邦通信委員会：Federal Communications Commission）では、ＵＷＢ通信における１［ＭＨｚ］当たりの送信電力レベルの規制値を表すＥＩＲＰ（Equivalent Isotropic Radiation）を、−４１．２５［ｄＢｍ］以下と定めている。
これは、総電力に換算すると、０．５［ｍＷ］程度であり、ＰＨＳ（Personal Handyphone System）の約２０分の１である。
ワイヤレスＵＳＢでは、ＵＷＢを無線インフラとして使用することにより、半径３［ｍ］の範囲で最大４８０［Ｍｂｐｓ］、半径１０［ｍ］の範囲で最大１１０［Ｍｂｐｓ］の高速を実現できる仕様となっている。
【図面の簡単な説明】
【００２０】
【図１】被探索携帯端末と探索用携帯端末から構成される携帯端末探索システムを示す図。
【図２】携帯端末を探索する手順を示す図。
【符号の説明】
【００２１】
１  携帯端末、１ａ、２ａ  送受信部、１ｂ、２ｂ  送受信用アンテナ、１ｃ  ＧＰＳ受信部、１ｄ  ＧＰＳ受信用アンテナ、１ｅ  制御部、１ｆ、２ｆ  表示部、１ｇ、２ｇ  操作部、１ｈ、２ｈ  記憶部、１ｉ、２ｉ  無線ＵＳＢ通信部、１ｊ、２ｊ  無線ＵＳＢ通信用アンテナ
【図１】
2008148166.tif 000003
【図２】
2008148166.tif 000004